Podtech/llm-jp-corpus-v4-ja_patent huggingface dataset:
(57)【要約】【課題】現在，消臭・制菌・吸水・速乾の効果を持つ使い捨てでない襟用ライナーは製造・販売されていない。一般に特に夏期，汗をかいた後、最も気になる部分のひとつが襟である。従来はワイシャツの襟後方部をハンカチで拭くが、即乾くことなく汗の匂いと汗による菌が増殖，快適生活の妨げとなっていた。消臭・制菌・吸水・速乾の効果を持つ襟部のライナーを一般ユーザーは強く要望している。以上を解決する事が課題である。【解決手段】消臭・制菌・吸水・速乾の効果を持つ素材を用いて帯状の両端部を半円に形成するライナーであり、このライナーを横にした時の上部を二重構造に下部を四重構造とし、裏面に両面粘着テープを施してワイシャツに粘着する。【選択図】図１
2013028889.tif 000002
【特許請求の範囲】
【請求項１】
消臭・制菌・吸水・速乾の効果を持つ素材を用いた。帯状の、両端部を半円状に形成する本体を横にした時の上部を二重構造にし、下部を四重構造にして裏面に両面粘着テ−プを施した襟部・帽子の額部の消臭・制菌ライナー。
【発明の詳細な説明】
【技術分野】
【０００１】本考案はワイシャツの襟部へ消臭・制菌・吸水・速乾効果を持つライナーを用いて両面粘着テ−プにて粘着、取り外しが可能で使い捨てではない為、何度でも使用できるライナーに関するものである。
【背景技術】
【０００２】現在、消臭・制菌・吸水・速乾の効果を持つ使い捨てでない襟用のライナーは製造・販売されていない。一般に夏期、汗をかいた後、最も気になる部分のひとつが襟部・帽子の額部である。従来はワイシャツの襟後方部や帽子の額部をハンカチで拭くが、即乾くことなく汗の匂いと汗による菌が増殖、快適生活の妨げとなっていた。消臭・制菌・吸水・速乾の効果を持つ襟部・帽子額部のライナーを一般ユーザーは強く要望している。
【発明の開示】
【発明が解決しようとする課題】
【０００３】上記問題を解決するライナーを提供する事である。
【課題を解決するための手段】
【０００４】消臭・制菌・吸水・速乾の効果を持つ素材を用いて帯状の両端部を半円に形成するパットであり、このライナーを横にした時の上部を二重構造に下部を四重構造とし、裏面に両面粘着テープを施してワイシャツや帽子に粘着する。
【発明の効果】
【０００５】本考案によって課題を十分に解決している。本体１をワイシャツＡへ粘着する。その形状より皮膚に伝わる違和感がなく、快適性が保証されている。繰り返し使用できるのも利点。
【図面の簡単な説明】
【０００６】図１の１は本体の形状を示す正面図である。帯状両端部を半円に形成している。ライナーを横にした時の上部は二重構造で厚さ約下部は四重構造である。この構造により上部１／２で吸収できない汗を下部でしっかり吸収できる。製造工程は、四角い１枚の素材を用いて、先ず上下部の中心地点を線状に織り曲げ、その状態で更に下部を上部に向けて内側へ折り曲げる。結果、断面は上部が二重構造、下部が四重構造となり図１の（イ）となる。最後に帯状両端部を半円の形状に切り、すべての端を縫い合わせる。【０００７】図１の（イ）はａ、ｂの断面図を示すものである。【０００８】図２は本考案の実施状態を示す斜視図である。襟消臭・制菌ライナー１の裏面に両面粘着テ−プを施してワイシャツＡの襟部３に粘着する。【０００９】図３は脇消臭・制菌ライナーの形状を示す斜視図である。襟消臭・制菌ライナー１同様、１枚の素材を用いて上下部の中心地点を線状に織りまげる。次に上部を半円の形状に切り、残りの端を図３の様に切り、開いた状態ですべての端を縫い合わせる。一方、同じ大きさの２枚の素材を用いてその各上部を予め半円の形状に切り、残りの端を図３の様に切り、上部のみ接地させた状態ですべての端を縫い合わせる方法もある。
何れも図３となる。この形にする事で脇部へフイットするのである。【００１０】図４は脇消臭・制菌ライナーの実施状態を示す斜視図である。脇消臭・制菌ライナー２の裏面に両面粘着テ−プを施してワイシャツＡの脇部４に粘着する。
【図面の簡単な説明】
【００１１】
【図１】本考案の襟消臭・制菌ライナー体の斜視図
【図２】本考案の実施状態を示す斜視図
【図３】図１の応用例とした脇消臭・制菌ライナー体の斜視図
【図４】図３の実施状態を示す斜視図
【符号の説明】
【００１２】１襟消臭・制菌ライナー体
２脇消臭・制菌ライナー体
３襟部
４脇部
Ａワイシャツ
ａ襟消臭・制菌ライナー体の左側端部
ｂ襟消臭・制菌ライナー体の右側端部
（イ）襟消臭・制菌ライナー体の斜視図
（ロ）脇消臭・制菌ライナー体の斜視図
【図１】
2013028889.tif 000003
【図２】
2013028889.tif 000004
【図３】
2013028889.tif 000005
【図４】
2013028889.tif 000006
(57)【要約】      （修正有）【課題】津波対策を講じた道路技術に属するものであって、津波に対する避難場所の提供と、避難場所の有効活用方法および雇用場所を提供する。【解決手段】階段状外形の各階段部を道路とする道路構造１とし、道路構造１の中心部は内部に内部空間２からなる地下空間を有し、地下空間を区画し、各区画部を工場、駐車場、倉庫などに利用すると共に、地下空間の下に水槽３からなる水を貯める構造を有し、かつ階段状外形部は階段状に配列した柱４と柱４をつなぐ梁５から形成され、各階段状の張出部には天井部を設け、階段状外形部の内部に瓦礫を充填した道路構造１である。階段状外形部は移動速度の異なる車、バイク、歩道専用であり、交通事故を減少させる。内部空間２からなる地下空間は植物工場として利用し、水槽３からの水を供給するように構成する。【選択図】図２
2013028912.tif 000002
【特許請求の範囲】
【請求項１】
階段状外形を有する道路構造にあって、当該道路構造の中心部は内部に地下空間を有し、当該地下空間を区画し、各区画部を工場、駐車場、倉庫などに利用すると共に、地下空間の下に水を貯める構造を有し、かつ階段状外形部は階段状に配列した柱と柱をつなぐ梁から形成され、各階段状の張出部には天井部を設け、前記階段状外形部の内部に瓦礫を充填した道路構造。
【発明の詳細な説明】
【技術分野】
【０００１】
本発明は、津波対策を講じた道路技術に属する。
【背景技術】
【０００２】
大地震に伴う津波などにより多大な人的損害を受ける。津波に対する対策は防波堤防の構築、防波林の育成、海岸近くに設けた避難場所の設置など総合的になされる必要がある。避難場所への通路として特開２００９−７８５１には両側から張り出す部材で外界から隔離する半円の通路を構成する方法が開示されている。特に海岸近くに設ける避難場所は、これが適切に設けられるならば人的損害を最少にとどめるために有効である。高盛土して構築された道路、鉄道などは防波堤と避難場所を兼ね、海岸近くに設ければ特にその効果は大きい。本願発明は避難場所の提供に有る。
【先行技術文献】
【特許文献】
【０００３】
【特許文献１】特開２００９−７８５１
【発明の概要】
【発明が解決しようとする課題】
【０００４】
本発明は、津波に対する避難場所の提供と、避難場所の有効活用方法および雇用場所の提案にある。
【課題を解決するための手段】
【０００５】
本発明は、階段状外形を有する道路構造にあって、当該道路構造の中心部は内部に地下空間を有し、当該地下空間を区画し、各区画部を工場、駐車場、倉庫などに利用すると共に、地下空間の下に水を貯める構造を有し、かつ階段状外形部は階段状に配列した柱と柱をつなぐ梁から形成され、各階段状の張出部には天井部を設け、前記階段状外形部の内部に瓦礫を充填した道路構造である。
【発明の効果】
【０００６】
本発明は、（１）内部に区画された地下空間を設けたため、その各空間を倉庫、駐車場、植物工場に提供できる。（２）地下構造となるため内部空間の気温、湿度はほぼ一定に保たれ植物の品質が一定に保てる。（３）内部空間の下に水を貯めることができるため、上部植物工場に水を供給できる。（４）階段状の外形を利用し、各段を自転車、歩道、バイクなどの専用道路とすることができる。（５）最上部を道路、鉄道用とし、津波時には避難場所となる。（６）内部空間の工場で雇用の機会を増やすことができる。（７）階段状外形部の内部は瓦礫を充填し、各階段状張り出し部の上部は天井部としたため、経時変化により瓦礫の堆積が減少しても上の道路構造に変化を及ぼさない。
【図面の簡単な説明】
【０００７】
【図１】は、本発明の道路構造の概念図である。
【図２】は、階段状外形部の構造を示す概念図である。
【発明を実施するための形態】
【０００８】
以下本発明の道路構造を、図１を用いて説明する。
図に示すように本道路構造は、（１）階段状の外形を有する、（２）内部に空間を有する、（３）内部空間の下部に水槽を有する。
【０００９】
階段状の外形部は、歩道、遊歩道、自転車道、バイク道の専用道路として利用する。あるいは公園とすることでもよい。
移動スピードの異なる車、人を分離するため事故の可能性が減少する。最上部は一般車道あるいは鉄道用として利用する。
最上部は津波などの発生時には避難場所として利用可能となる。必要に応じ道路上の休憩所その他の施設を避難民に開放することもできる。また、格階段に通ずる避難用の通路を用意する。
【００１０】
内部空間は、必要に応じ上下あるいは長手方向に区画し、駐車場、倉庫、工場その他多目的な利用が可能である。植物工場として利用するならば、中の温度湿度が一定に保たれるため品質の安定した植物が栽培可能となる。照明の程度は調節可能のため、きのこ類から野菜まで栽培可能な空間を提供できる。
【００１１】
内部空間の下部には水槽が設けられ、雨水など適宜貯留することができる。
水槽中の水は上の植物工場に供給可能である。地下においては、水温はほぼ一定であり、１５度前後に保たれる。従い魚の養殖に使用すれば、５度以下になると魚は餌を食べないが、この温度では魚は一年中餌を食べるため成長が早くなり経済効果が高まる。
【００１２】
図２は、本発明の道路構造の階段状外形部を示す。
図に示すように、階段状外形部は外側から柱が階段状に内側に向かって高くなるよう配列され、各柱間は梁にて連結されている。梁と柱で井桁状に構成される。各階段状の張出部はその上部を天井部として天井板が敷設される。
【００１３】
階段状外形部の内部は瓦礫を充填する。階段状外形部と内部空間との間は隔離のため壁で仕切ることが好ましい。充填物は瓦礫のため経時変化により体積の減少が起こりうるので、階段状外形部は、上記柱と梁および天井板でその強度を保持するようにする。そうする事で階段状外形部表面に設けた歩道その他の施設が安全かつ継続的に正常に利用することができる。また必要に応じて階段状外形部にはベントを設け、瓦礫から発生するガスを排気することができるようにしておくことが好ましい。
【産業上の利用可能性】
【００１４】
道路の構築に利用できる。特に津波の恐れの有る海岸地方に設けるとその利用効果が高くなる。
【符号の説明】
【００１５】
１  道路構造
２  内部空間
３  水槽
４  柱
５  梁
６  天井板
【図１】
2013028912.tif 000003
【図２】
2013028912.tif 000004
(57)【要約】      （修正有）【課題】使用することにより、頭髪はしなやかでハリとコシが増し、肌は見違えるほど滑らかになり、髭剃りも痛みは無く髭剃り後も爽快で自分の肌が劇的に変化したことを感じることが出来、使用開始してすぐにも効果を実感することが出来る化粧品を提供する。【解決手段】オオイタドリの開花期に雄花のみを摘花し、圧搾濾過してオオイタドリの雄花の抽出液を作る。前記抽出液に清水を加え、レモン等の柑橘類を混合する。またさらに蜂蜜を加えれば保温効果は増加する。【選択図】なし【特許請求の範囲】
【請求項１】
オオイタドリの雄花の抽出液を使用した化粧品
【請求項２】
化粧品、薬剤等を目的とした原材料としてのオオイタドリの雄花を抽出した液
【発明の詳細な説明】
【技術分野】
【０００１】  化粧品に関する分野ものである。
【背景技術】
【０００２】  化粧品の世界でその化粧品一品のみで身体全体に有効な商品をみることは出来ない。シャンプー、洗髪後のコンデショナー、整髪料、肌水、ハンドクリーナー、髭剃り後のローション、等々が有り、化粧品が多種類必要なのでふだんの生活では煩雑でも有り、とくに旅行の時などは化粧ポーチに収納出来ないほどで大変である。また種類が多い分当然高価にもなってしまう。もし万一それらの効用をまとめてまかなう事ができる画期的なものがあるとすればそれにこしたことはない。とりわけ面倒くさがり屋の男性にとって見れば有り難いものである。その問題を解決するものがオオイタドリの雄花の抽出液を使用した化粧品である。
【発明の開示】
【発明が解決しようとする課題】
【０００３】  化粧品の目的は頭髪や肌を健康に保つことである。頭髪は乾燥したり、寝癖で、よほど髪にしなやかさが欠けていれば頭髪はみすぼらしく見え、その人の品性や人格さえ疑われるるものである。この化粧品はシャンプー後のコンディショナー代わりに使用するだけでみすぼらしく縮れた頭髪にしなやかさとハリとコシを与え整えてくれるものである。肌も乾燥してカサカサ肌になったり、皺だらけになったり、髭をそるときに余程髭剃り前に手入れしない限り痛みがあるもであるが、それらを解決するのもこの化粧品である。これを使用開始してすぐにもこの効果を実感することが出来る。頭髪はしなやかでハリとコシが増し、肌は見違えるほど滑らかになり髭剃りも痛みは無く髭剃り後も爽快で自分の肌が劇的に変化したことを感じることが出来る。
【課題を解決するための手段】
【０００４】  オオイタドリの開花期に雄花のみを摘花し圧搾濾過してオオイタドリの雄花の抽出液を作る．
、それに清水を加え、レモン等の柑橘類を混合する。またさらに蜂蜜を加えれば保温効果もでて、冬季の寒さや手足先などの冷えにも効果を発揮する。
【発明の効果】
【０００５】  オオイタドリの雄花の抽出液を使用したこの化粧品は使用すればただちにその効果が実感できる。肌にぬればべとつき感はなくたちまち肌が滑らかに感じられ爽快である。風呂上りに使用すれば翌日の朝まで保湿の効果がみられ常時使用することでまもなく自分の肌が全く生まれ変わった感がする。肌が滑らかに丈夫になったことが実感させられる。頭髪も同様である。洗髪後に使用すれば乾燥した縮れた髪はしなやかにまとまる。。化粧品の少なくとも肌水、リンス（コンデショナー）、整髪剤、髭剃り用化粧品等はこのオオイタドリの雄花の抽出液を使用した化粧品一品で用を足すことが出来る。またこれをシャンプーやリンス、ボディシャンプー等に混ぜて使用することで効果を増すことが出来るし、より安価なこの化粧品で水増し増量することが出来る。
【発明を実施する為の最良の形態】
【０００６】  オオイタドリの雄花の抽出液を使用し、レモン等の柑橘類や蜂蜜等自然のものを加えた化粧品は純天然成分なので無害であり子供にも心配することなく常時手元に置いておける。そして気が付いたとき何時でも肌や手足や頭髪の手入れに手軽に使用すると良い。この化粧品のオールインワンの能力を味わうことが何時でも出来る。とくに風呂上りに使用すると最良の効果を発揮することが出来る。
【産業上の利用可能性】
【０００７】  オオイタドリは日本の東北、北海道や朝鮮半島、中国東北部に自生する高さ２，３メートルに育つ大型の植物で若芽は食用になり、根は薬用に使用されると言われている。雌雄異株で花は８月過ぎに咲く。北海道ではいたるところに自生繁茂し現在では何も利用されることも無くただの雑草として放置されている。とくに道路沿いのものは邪魔者扱いにされ大型の草刈車両で処理されている。今日不況の時代に東北、北海道はそれが深刻であったがこの度の大震災で一層の打撃を被ってしまった。しかしこのオオイタドリの雄花の抽出液を使用した化粧品が実力どうりに評価されれば少なくとも安価で優秀な商品が多量に日本に限らず世界に流通する可能性が有る。一般の男性化粧品は安価でオールインワンの汎用性が有ることが一番であり、これが認知され商品として流通すれば少なくともオオイタドリの自生地、東北、北海道の景気の高揚の一助になるものである。
(57)【要約】【課題】本発明は太陽光発電パネルの熱による発電効率低下することを、太陽光発電パネルを冷却することにより夏場などの高温並びに直射日光による輻射熱などを取り除き、太陽光発電パネルの効率を向上させ本来の性能を発揮させるための屋根部材散水制御装置を提供する。【解決手段】太陽光発電パネルの発電効率を阻害する熱を冷却して、太陽光発電パネルの発電効率を一定に保つ散水制御装置１の下流に位置する、散水制御弁４で太陽光発電パネルの温度管理用に設置した散水ノズル５からの散水により、打ち水効果（直接水温ならびに気化熱を利用して太陽光発電パネルを冷却）により冷却する装置である。【選択図】図１
2013239687.tif 000002
【特許請求の範囲】
【請求項１】
太陽光発電パネル等の屋根部材温度を測定し、太陽光発電パネル等の屋根部材の温度管理ならびに散水時間管理を散水制御装置１で制御し、その後方に位置する散水ノズル５からの散水で打ち水効果を利用した冷却で太陽光発電パネルの発電効率向上を特徴とする屋根部材散水制御装置。
【発明の詳細な説明】
【技術分野】
【０００１】本発明は、現在市販されているほとんどの太陽光発電パネルは、温度の上昇により発電効率が低下するので、太陽光発電パネルを冷却することにより発電量の増加を目的とした散水装置を提供する。
【背景技術】
【０００２】現在太陽光を利用した発電および給湯の技術は個々の分野で広く提案されており、個々の設備として広く一般に利用されている。【０００３】しかし現在市販されているほとんどの太陽光発電パネルは、温度の上昇により発電効率が低下する欠点があった。
【先行技術文献】
【特許文献】
【発明の概要】
【発明が解決しようとする課題】
【０００４】本発明は太陽光発電パネルの熱による発電効率低下を太陽光発電パネルを冷却することにより、夏場などの高温並びに直射日光による輻射熱などを取り除き、太陽光発電パネルの効率を向上させ本来の性能を発揮させるため散水装置を提供する。
【課題を解決するための手段】
【０００５】太陽光発電パネルの発電効率を阻害する熱を冷却するシステムにより、太陽光発電パネルの温度管理をすることで発電効率が一定に保たれ総発電量を増加させる、現状では太陽光発電パネルは自然冷却であるため十分な冷却が不可能であるが、散水することにより放熱効果を促進させ、制御回路により散水量を管理するものである。
【発明の効果】
【０００６】以上の説明から明らかなように、本発明にあたっては次に列挙する効果が得られる。
（１）太陽光発電パネルを冷却することにより夏場などの高温並びに直射日光による輻射熱などを取り除き、太陽光発電パネルの効率を向上させ本来の性能を発揮させる。
（２）太陽光発電パネルを冷却することにより屋根を冷却でき夏期等に起こる建物の蓄熱を防ぐことが出来る。
【図面の簡単な説明】
【０００７】
【図１】全体の構成図
【発明を実施するための形態】
【０００８】以下本発明の実施の形態を図に基づいて説明する。
【０００９】散水制御装置１の構造について
太陽光発電パネルの温度管理ならびに散水時間管理を制御して太陽光発電パネルの発電効率向上をになう装置である。
散水制御装置１は電子回路２と散水制御弁４で構成され、電子回路２は温度検出・温度検出時間間隔・散水時間を管理するもので、電子回路２の起動は散水制御装置１充電用に装備されている太陽光発電パネル３の発電検出により起動するものである。
散水制御弁４には蓄電池を装備し散水弁開閉装置の駆動源として活用する。
【００１０】散水ノズル５の構造について
太陽光発電パネル表面に水を散布して、直接水温ならびに気化熱を利用して打ち水効果により太陽光発電パネルを冷却する装置である。
散水ノズル５は太陽光発電パネル表面付近に設置し、散水制御装置１から送られてきた水を太陽光発電パネル表面の散布するものである。
【図１】
2013239687.tif 000003
(57)【要約】【課題】  従来のレーダー検出器用検波コイルは、光トポグラフィー（ＮＩＲＳ）のレーダーに使用する場合、多数配置するため各々の検出精度にばらつきが有ると装置全体の精度と分解能が落ちてしまうと云う問題が有った。これは、検波コイルの巻き線が機械巻きのため、巻き線精度の限界と巻き線形状の自由度が低いからである。【解決手段】  エナメル線を使った機械巻きの巻き線をやめ、帯状の絶縁シートに渦巻き状の銅箔をエッチングしたものを一列に多数並べ、その帯状のシートをキャブレター用のエアーフィルタ型に折り畳んで検波コイルとしたものである。これにより、機械巻きより精度の高いエッチング精度を持った検波コイルを製作でき、高分解能のレーダーを提供できるとともに、コイルの磁束の密度と形状の設定の自由度を高めることができる。【特許請求の範囲】
【請求項１】
帯状の絶縁シートに渦巻き状の銅パターンをエッチングでコイルとして一列に多数並べその帯状のシートをエアーフィルタ型に折り畳んでレーダー用検波コイルとしたもので、それぞれのコイルパターンの始まりと渦巻き中心のパターンの終わりは裏のコイルとプリント配線の要領でつながれており、襞の数を増減してコイルの巻数を調節する方式であり、円管型の磁石をコイルの内側と外側に設けたエアーフィルタ型コイル。
【請求項２】
帯状シート襞の裏表にエッチングで配置した渦巻き状の銅パターンはひとつひとつが自由に形状を設定でき、そのことにより密度と形状を自由に磁束を調節することができる請求項１記載のエアーフィルタ型コイル。
【発明の詳細な説明】
【技術分野】
【０００１】  本発明は、電波の検波回路の分解能向上を図った検波コイルに関する。
【背景技術】
【０００２】  脳の働き方を研究する目的で開発された光トポグラフィー（ＮＩＲＳ）と云う装置において、脳細胞からの微弱な電波を頭の廻りに配置した多数の小型レーダーで高精度に検波する必要が有る。
【発明の概要】
【発明が解決しようとする課題】
【０００３】以上に述べた光トポグラフィー（ＮＩＲＳ）のレーダーに使用する検波コイルでは、多数配置するため各々の検出精度にばらつきが有ると装置全体の精度と分解能が落ちてしまう。【０００４】  本発明は、このような従来の構成が有していた問題を解決しようとするものであり、レーダー間の検波精度のばらつきを抑え、高精度で高分解能の光トポグラフィー（ＮＩＲＳ）装置を実現することを目的とするものである。
【課題を解決するための手段】
【０００５】  そして、本発明は上記目的を達成するために高精度に巻き線を巻くのに限界のあるエナメル線によるコイル化を辞め、帯状の絶縁シートに渦巻き状の銅パターンをエッチングしたものを一列に多数並べ、その帯状のシートをキャブレター用のエアーフィルタ型に折り畳んで検波用コイルとしたものである。【０００６】  上記の課題解決手段による作用は次の通りである。すなわち、コイルの機械巻き精度の限界より精度の高いエッチング精度を持った巻き線精度の検波コイルを製造できる。
【発明の効果】
【０００７】  上述したように本発明の検波コイルは、巻き線の高密度化と巻き線精度の向上ができるため、高分解能でばらつきの無いレーダーを提供できる。【０００８】  また、渦巻きのパターンを変化させる事により自由に磁束の密度と形状を設定出来るため各種研究装置などに供することができる。
【発明を実施するための形態】
【０００９】  以下、上述した検波コイルの構成を説明する。コイルの巻数はエアーフィルタ型に折り畳んだ帯状の絶縁シート上の渦巻き状のエッチングパターンが、ひとつの襞あたり二カ所ずつ裏表に合計四カ所に配置される。また、何回襞を設けるかで巻き線数を調節できる。
【００１０】  さらに、渦巻き状のパターンを巻き線として調整することによって部分的に巻数と形状を変化させ、磁束密度とその形状を自由に調節する事ができる。
【００１１】  もちろん一つの渦巻き状パターン線の最初の部分と裏側の最後の部分をプリント配線の要領でつないでおき、渦巻きの中心の部分はそれぞれの裏と表の線どうしを同じ要領でつないでおく。絶縁シートはエアーフィルタ型のように円管型に折り畳むのでパターン線の最初と最後は一カ所に集まるから、そこにリード線を設ける。
【００１２】  最後に折り畳んで丸めた円管状のエアーフィルタ型コイルの内側と外側に円管形の磁石を設ける。
【００１３】  以上のように、本実施形態によれば検波コイルの高精度化と高密度化、ならびに自由な磁束の部分的密度と形状の設定ができるコイルが得られるものである。
(57)【要約】【課題】  従来のハードディスク付ブルーレイ・ＤＶＤレコーダーは，ハードディスクを経由してダビングしていたが２つのブルーレイ・ＤＶＤデッキを搭載し直接ブルーレイ同士、ＤＶＤ同士、ブルーレイからＤＶＤに１度にレコーディング、ダビングできるものである。【特許請求の範囲】
【請求項１】
今までハードディスク付ＤＶＤ、ブルーレイレコーダーで録画する際にハードディスクを経由していたがハードディスクを利用せずに二つのブルーレイ、ＤＶＤ、のデッキでブルーレイ同士、ＤＶＤ同士、ブルーレイからＤＶＤに１度にダビングを直接録画する物である。
【発明の詳細な説明】
【技術分野】
【０００１】ブルーレイ・ＤＶＤの画像、音楽をブルーレイ・ＤＶＤの録画を１度にする機械
【背景技術】
【０００２】  今までのハードディスクレコーダーでは行われていなかったブルーレイ同士、ＤＶＤ同士ブルーレイからＤＶＤへの情報を一度にダビングできる。
【発明の開示】
【発明が解説しようとする課題】
【０００３】  ハードディスクを経由せず１台のレコーダーに、２つのデッキでブルーレイからブルーレイ、ＤＶＤからＤＶＤ、ブルーレイからＤＶＤに１度にダビングを出来るようになった。
【課題を解決するための手段】
【０００４】  従来のブルーレイ、ＤＶＤレコーダーはハードディスクからブルーレイ、ハードディスクからＤＶＤ、にしかダビング出来ないが２つのブルーレイ・ＤＶＤ、デッキを設ける事によって、ブルーレイからブルーレイ、ＤＶＤからＤＶＤ、ブルーレイからＤＶＤへのレコーディングが直接する事が可能になる。
【発明の効果】
ハードディスクを経由せず１台のレコーダーに、２つのデッキでブルーレイ同士ＤＶＤ同士、ブルーレイからＤＶＤに１度に録画を出来るようになった。
【発明の実施するための最良の形態】
【０００６】  ブルーレイ、ＤＶＤ対応の２つのデッキを１台のレコーダーに搭載する。
(57)【要約】      （修正有）【課題】複写機のローラーの内側に熱吸収率の良い素材を混入させた塗料を塗り、ヒーターから発生される熱を効率良くローラーに伝える。【解決手段】複写機を使用するときに、複写機のローラー６がトナーを定着する温度に達するのを待つ。ローラー６に熱を加える為に、ローラー６の中心部にはヒーター４が取り付けられている。ヒーター４とローラー６の間隙５は空気の層であり、熱伝導率が低くて熱を伝えにくい性質の空気の層５を介するために、温度上昇に時間が掛かる。そこで、ローラー６の内側に熱吸収率の良い素材と塗料を混入して造られた熱吸収率０．９と熱吸収特性を高くした塗料３を塗布することにより、ヒーター４の温度は熱吸収率を高くした塗料３に吸収されてローラー６の温度を急激に暖めることとなって、ローラー６の温度上昇時間を短くでき、複写機の待機時間を縮める。【選択図】図２
2013235226.tif 000002
【特許請求の範囲】
【請求項１】
熱吸収率の良い素材と塗料とを混入し、その混入物を複写機のローラーの内側に塗布したことを特徴とする複写機ローラー。
【請求項２】
熱吸収率の良い素材と樹脂とを混入し、その混入物をシート化して複写機のローラーの内面に貼ったことを特徴とする複写機ローラー。
【発明の詳細な説明】
【技術分野】
【０００１】  この発明は、熱光源の熱を他の部品や機器に有効に伝えたいけれども、空気の層を介しての放出となるため、熱の伝導が極めて悪くなってしまう現象を改良して、熱の伝導を有効に伝えるようにしたものである。
【背景技術】
【０００２】  複写機の場合、電源投入後しばらく待機をしなければならない。複写機のローラーがコピー用紙に転写されたトナーを定着させられる温度に達するのを待つための待機時間である。
複写機のローラーに熱を加える為に、ローラーの中心部にはヒーターが取り付けられている。しかし、そのヒーターは固定されており、一方ローラーは回転する。そしてその間隙は空気の層であるため、ヒーターの熱は熱伝導率が０．０２４１ｗ／ｍｋと非常に低く熱を伝えにくい性質の空気の層を介するために、温度上昇に時間が掛かり、それを短時間にしたいという必要性が出てきている。
【先行技術文献】
【特許文献】
【特許文献】特開平８−２２０９０８号公報  特開２０００−５６６０５号公報  特開２０００−５６６０７号公報  特開２０００−３２１９１１号公報
【発明の概要】
【発明が解決しようとする課題】
【０００３】  本発明は、複写機のローラーの高速加熱化を目的とするものである。
【課題を解決するための手段】
【０００４】  このような目的を達成する本発明は、複写機のローラーの内側に熱吸収率の良い素材を混入させた塗料を塗り、ヒーターから発生される熱を効率良くローラーに伝えるものである。
【発明の効果】
【０００５】  請求項１のように、複写機のローラーの内側に熱吸収率の良い窒化アルミニウムや炭化ケイ素、炭化アルミニウム（アルミナ）、カーボンなどの素材を混入した熱吸収塗料を塗布し、その熱吸収効果により、熱源の熱は効率良くローラーに吸収されることになる。
ちなみに、本発明の効果を試験するために、アルミニウムの板を電球を熱源として暖めた場合に、その板の熱源の反対側の温度を測定する試験を行ったが、アルミニウムの板に熱吸収塗料を塗らなかった場合の温度は９５℃であった結果に比べ、熱吸収塗料を塗った場合の温度は１４６℃となり、熱吸収の大きな効果が見られた。
【図面の簡単な説明】
【０００６】
【図１】本発明に使用される塗料の構成図である。
【図２】本発明の断面図である。
【発明を実施するための形態】
以下、本発明を実施するための最良の形態について、図面を参照して説明する。
【０００７】  熱吸収率の良い窒化アルミニウムや炭化ケイ素、炭化アルミニウム（アルミナ）、カーボン、などの素材（１）を塗料（２）に混入し、その混入物（３）をローラー（６）の内面に塗布する。本発明は、以上の様な方法で製造される。
【０００８】  熱伝導率の良い窒化アルミニウムや炭化ケイ素、炭化アルミニウム（アルミナ）、カーボン、などの素材（１）を混入して行う製造方法においては、塗料の他同様の性能を持つシートを貼って行っても良い。
【符号の説明】
【０００９】  １  熱吸収率の高い素材
２  塗料
３  熱吸収率の高い素材を混合させた塗料
４  複写機内部のヒーター
５  ヒーターとローラーの間の空気の層
６  ローラー
７  コピー用紙
【図１】
2013235226.tif 000003
【図２】
2013235226.tif 000004
(57)【要約】【課題】従来の構成では、まだ鉛筆をうまく握れない幼児に、聴音の訓練をおこなうことが難しかった。聞き取った音を五線譜に鉛筆で記載しようとしても、幼児は、うまく音符を五線譜に書けない。【解決手段】  本体１にカード５をはめこむ。音符のはめこむ位置は、１音単位で変更できるよう凹凸の周期（長さ)を決めている。【選択図】図5
2013235201.tif 000002
【特許請求の範囲】
【請求項１】
五線譜が記載された本体と音符が記載されたカードとを有する教材であって、
前記カードを本体にはめこむことにより、五線譜の所定の位置に音符を配置する音楽教材
【請求項２】
一音単位で、音符の位置を選択できる請求項１記載の音楽教材
【請求項３】
五線譜の第３線以上の高音の位置に音符をおく場合、音符の棒が下向きの場合のみ前記本体に前記カードを嵌めこむことができる請求項１記載の音楽教材
【発明の詳細な説明】
【技術分野】
【０００１】
本発明は、音楽用の教材に関するものである。
【背景技術】
【０００２】
従来、鉛筆で五線譜上に音符を記入していた。また、手書きで記入せずに付着層が形成された譜面に音符シールを貼り付けていた（例えば、特許文献１参照）。
【先行技術文献】
【特許文献】
【０００３】
【特許文献１】実用新案登録第3106111号公報
【発明の概要】
【発明が解決しようとする課題】
【０００４】
しかしながら、前記従来の構成では、まだ鉛筆をうまく握れない幼児に、聴音の訓練をおこなうことが難しかった。聞き取った音を五線譜に鉛筆で記載しようとしても、幼児は、うまく音符を五線譜に書けない。また、五線譜上に音符シールを貼ろうとしても、手先の動きが未熟であり、思った位置に音符シールを貼ることができないという課題を有していた。
また、第３線より上に音符を置くときは、棒線は左側下向きに記載するという音楽関係のルールを
教えなければならなかった。
【０００５】
本発明は、前記従来の課題を解決するもので、年齢に関係なく、五線譜上の所定の位置に間違えなく音符を配置できる教材を提供することを目的とする。
【課題を解決するための手段】
【０００６】
前記従来の課題を解決するために、本発明の教材は、五線譜上に音符をはめこむものであって、音階の高低方向に１音単位で、自由にはめこむことができるので、音符を書くことができない幼児でも、簡単に所定の位置に音符を配置できる。
【発明の効果】
【０００７】
本発明の教材によれば、字を書けない幼児であっても、音符を五線譜に正しく配置でき、音と音符を正確に対応させて覚えることができる。
【図面の簡単な説明】
【０００８】
【図１】本発明の実施の形態１における教材の本体の構成を示した図
【図２】本発明の実施の形態１における教材の本体にはめこむカードの構成を示した図
【図３】本発明の実施の形態１における教材の本体の断面図
【図４】本発明の実施の形態１における教材の本体の断面図
【図５】本発明の実施の形態１における教材の本体にカードをはめこんだ図
【図６】本発明の実施の形態１における教材の本体にカードをはめこんだ図
【図７】本発明の実施の形態１における教材の本体にカードをはめこんだ図
【発明を実施するための形態】
【０００９】
以下本発明の実施の形態について、図面を参照しながら説明する。
【００１０】
（実施の形態１）
図１が本体１の構成をあらわし、図２がカードの構成をあらわしている。図３は、図１に記載された本体１のZ1-Z2方向の断面図を示す。本体１は、基板４とプラスチックの透明板３から構成されており、基板４には五線譜２が記載されている。基板４の上にプラスチックの透明板３が配置されている。
また、基板４には縁６があり、縁６は、基板４の内側より高くなっている。  
図２のカード５には、音符が描かれている。カード５を図１の領域１〜４にはめ込む。カード５と透明板３に形成されている凹凸をあわせ、音符を希望する五線譜の位置に配置できるようにカード５をはめこむ。
図５に、本体１にカード５をはめこんだ第１の状態を示す。図１の本体１のaの位置と図２(a)のカード５のｃの位置をあわせて、はめこんだものである。音符のはめこむ位置は、１音単位で変更できるよう凹凸の周期（長さ)を決めている。
図６は、本体１にカード５をはめこんだ第２の状態を示す。五線譜の下から３番目の線に音符を配置したものである。図１の本体１のbの位置と図２(ｂ)のカード５のｃの位置をあわせて、はめこもうとした図である。
図２(a)のカード５を１８０度回転させると図２(b)になる。
図４にカードをはめこむ領域2のX1-X2方向の断面図を示している。領域1〜4も同じ断面である。基板４の縁６が高くなっており、図２(a)のカード５に描かれた音符を五線譜の下から３番目の線に配置しようとするとカード５の上部が縁６にあたり、はめこむことができない。この時の状態を図６と図４（ｃ）に示す。
しかしながら、図２(a)のカード５を１８０度回転させ、図２(b)のように音符の棒を下向きすれば、図７の様に、はめこむことができる。
このように、音符を第３線以上に配置する場合、音符の棒を下向きにしないと、はめこむことができないので、音符を第３線以上に配置する場合、図２(b)のように音符の棒を下向きすることを自然に覚えることができる。
【産業上の利用可能性】
【００１１】
本発明にかかる教材は、五線譜が記載されている本体１と音符が記載されているカード５から構成され、一音単位ではめこむ位置を自由に設定でき、音楽用の教材として有用である。
【符号の説明】
【００１２】
１  本体
２  五線譜
３  透明板
４  基板
５  カード
６  基板の縁
【図１】
2013235201.tif 000003
【図２】
2013235201.tif 000004
【図３】
2013235201.tif 000005
【図４】
2013235201.tif 000006
【図５】
2013235201.tif 000007
【図６】
2013235201.tif 000008
【図７】
2013235201.tif 000009
(57)【要約】【課題】  赤一色の誘導棒では止まれ、進めの指示合図があいまいで人と車、対向車への混乱が見受けられ、高速で走る自動車には遠方からは交通整理誘導棒の確認がしづらかった本発明は人、車への指示誘導合図を確実に実施するための円型の交通整理誘導灯を提供する。【解決手段】  円形の誘導灯の表面、裏面両面の内部の仕切り板に反射材を設け、外部表面、裏面両面に脱着式の凹凸のある赤色、透明、又は乳白色色のカバーを設け、表面、裏面の内部部分に赤色（ＬＥＤ）を複数設け、裏面の赤色（ＬＥＤ）の間に青色（ＬＥＤ）を設け、表面、裏面両面共赤色（ＬＥＤ）を点滅点灯させる時、裏面の赤色（ＬＥＤ）を青色（ＬＥＤ）に切り換えて点滅点灯させる為に乾電池収納部分に切換スイッチを設けたことを特徴とする円型の交通整理誘導灯。【選択図】図１
2013235546.tif 000002
【特許請求の範囲】
【請求項１】
円型の誘導灯の表面、裏面両面の内部の仕切り板に反射材を設け、表面、裏面両面の外側に脱着式の凹凸のある赤色、透明、又は乳白色色のカバーを取り付け、表面、裏面の内部部分に赤色（ＬＥＤ）を複数設け、裏面の赤色（ＬＥＤ）の間に青色（ＬＥＤ）を設け、表面の赤色（ＬＥＤ）と裏面の赤色（ＬＥＤ）を同時に点滅点灯させる為の切換スィツチＩと裏面の赤色（ＬＥＤ）を青色（ＬＥＤ）に切り替えて点滅点灯させる為の切換スィツチＩＩを設けた円型の交通整誘導灯。
【発明の詳細な説明】
【技術分野】
【０００１】本発明は円型の交通整理誘導灯に関するものである。
【背景技術】
【０００２】従来の交通整理には単色の赤色一色での誘導棒で誘導合図をしていた。
【発明の概要】
【発明が解決しようとする課題】
【０００３】最近の保安誘導員は赤色一色の誘導棒の止まれ、進めの支持誘導合図があいまいで人、車、対向車への混乱が見受けられ、高速で走る自動車には遠方からは交通整理誘導棒の確認がしづらかった、本発明は以上の問題点を解決するもである。
【課題を解決するための手段】
【０００４】交通整理誘導棒に円型を採用し表面、裏面両面の内部面の仕切り板に反射材を設け、外部表面、裏面両面に脱着式の凹凸のある赤色、透明、又は乳白色色のカバーを取り付け、表面、裏面の内部部分に赤色（ＬＥＤ）を複数設け、裏面の赤色（ＬＥＤ）の間に青色（ＬＥＤ）を設け、表面、裏面両面共赤色（ＬＥＤ）を点滅点灯させて使用する時、表面の赤色（ＬＥＤ）をそのまま点滅点灯して裏面の赤色（ＬＥＤ）から青色（ＬＥＤ）を点滅点灯させる為に乾電池収納部分に切換スイッチを設ける。
以上の構成よりなる円型の交通整理誘導灯。
【発明の効果】
【０００５】交通整理誘導灯が円型の為、表面、裏面両面共赤色（ＬＥＤ）を点滅点灯する事で交通誘導棒より高速車からも早く確認が出来る様になり、片面に青色（ＬＥＤ）を点滅点灯させる事が出来る為、片側通行規制の市街地道路での人、車への指示誘導合図が円滑に進み車の渋滞が減り、人の誘導にもスムーズになり車への接触の心配が無くなった。
【図面の簡単な説明】
【０００６】
【図１】  本発明の側面図
【図２】  本発明の表面正面図
【図３】  本発明の裏面構成図
【図４】  本発明の切換スィツチ構成図
【図５】  本発明の固定用具斜視図
【図６】  本発明の固定用具使用状態図
【発明を実施するための形態】
【０００７】以下本発明の実施の形態を説明する。
（イ）交通整理誘導灯円型本体（１）の表面、裏面両面内部の仕切り板（２）に反射材を設け、外部表面、裏面両面に脱着式の凹凸のある赤色、透明、又は乳白色色のカバー（７）を設ける。
（ロ）円型の表面、裏面の内部部分に赤色（ＬＥＤ）（３）を複数設け、裏面の赤色（ＬＥＤ）（３）の間に青色（ＬＥＤ）（４）を設ける。
（ハ）表面、裏面両面共赤色（ＬＥＤ）（３）を同時に点滅点灯させる時、又は裏面の赤色（ＬＥＤ）（３）から青色（ＬＥＤ）（４）を点滅点灯させる為に乾電池収納部分（５）に切換スイッチを設け切り替えて点灯させる。
（ニ）交通整理誘導灯円型本体（１）を三角表示板（８）に固定用用具（９）の上部部分に三角表示板（８）の左右の板にはめ込みが出来る溝を設け、表側に乾電池収納部分（５）の差込が出来る筒を設け、筒の下部分に突起を設けて固定して使用すれば据置型としても可能になる。
本発明は以上のような構造である。
本発明を使用する時は交通整理誘導灯円型本体（１）の乾電池収納部分（５）にある切換スィツチ（６）を押すと、切換Ｉとなり表側面、裏側面両面の赤色（ＬＥＤ）（３）が同時に点滅点灯する、次に切換スィツチ（６）を押すと切換ＩＩとなり裏側面の赤色（ＬＥＤ）（３）を青色（ＬＥＤ）（４）の点滅点灯に切り替えて使用する。
据置型として使用すのには三角表示板（８）を組立、固定用用具（９）を上部部分から三角表示板（８）の左右の板を挟み込み、筒裏側の突起部分を同時に三角表示板（８）の下板を挟み込み使用する。
【符号の説明】
【０００８】  １、交通整理誘導灯円型本体    ２、仕切り板    ３、赤色（ＬＥＤ）
４、青色（ＬＥＤ）    ５、乾電池収納部分    ６、切換スイッチ
７、赤色、透明、乳白色色カバー    ８、三角表示板
９、固定用用具
【図１】
2013235546.tif 000003
【図２】
2013235546.tif 000004
【図３】
2013235546.tif 000005
【図４】
2013235546.tif 000006
【図５】
2013235546.tif 000007
【図６】
2013235546.tif 000008
(57)【要約】      （修正有）【課題】オープンショーケースの開口縁のハンドレールとフロントガラスの間にできる溝をなくすことで、塵埃の堆積の解消及び清掃精の向上を図り、且つハンドレールの傾斜面に堆積する塵埃も抑制する。【解決手段】開口部の縁を構成する断熱壁１６の上面にガラス１２とガラス枠とハンドレール１１を備えるオープンショーケースにおいて、前記ガラス枠（ガラス保持部材）とハンドレールを一体に形成しガラス立設部材とした。【選択図】図２
2013202275.tif 000002
【特許請求の範囲】
【請求項１】
側面略コの字状に断熱壁を組み合わせ、一つの面が開口するように本体を形成し、前記開口部の縁を構成する断熱壁の上面にガラスとガラス枠（ガラス保持部材）とハンドレールを備えるオープンショーケースにおいて、
前記ガラス枠とハンドレールを一体に形成したガラス立設部材としたことを特徴とするショーケース。
【請求項２】
前記ガラス立設部材は、外面に向かう平らの傾斜面を設けたことを特徴とする請求項１記載のショーケース。
【発明の詳細な説明】
【技術分野】
【０００１】
本発明は、開口部を有し、開口縁に位置する断熱壁の上面にフロントガラスを備えるショーケースに関するものである。
【背景技術】
【０００２】
特開２００７−２２２３０５号公報（特許文献1）の図３、図４に記載されているようにオープンタイプのショーケースでは、断熱壁の前壁上端にフロントガラスが立設されており、断熱壁の前壁上面にフロントガラスを立設する為の上部が開放された溝状の部材が設けられている。そして、その溝状の部材の上部からフロントガラスを挿入することでフロントガラスが立設されている。さらにフロントガラスの前面に位置し、断熱壁の前壁上端にハンドレールが取付けられている。
【特許文献１】特開２００７−２２２３０５号公報
【０００３】
この場合、フロントガラスを立設する部材の前面には、上部が開放された溝が設けられており、フロントガラスが取付けられた状態でハンドレールの上面後部のフランジを差し込みハンドレール下面のフランジが断熱壁の前面に取付けられている。
【発明の開示】
【発明が解決しようとする課題】
【０００４】
通常オープンショーケースでは、フロントガラスを立設する部材はハンドレールの上面よりも低い位置となる為、フロントガラスとハンドレールの間に溝が形成される。そのため、この溝に塵埃が堆積してしまい不衛生であり、且つ溝部を清掃する時、溝に堆積した塵埃を清掃しにくいという問題を抱えている。
【０００５】
また、一般的にハンドレールは凹状の広い傾斜面が設けられており、その傾斜面にも塵埃が堆積してしまい不衛生となる場合がある。
【０００６】
本発明のオープンショーケースは、前述の課題を解決するためになされたものであり、ハンドレールとフロントガラスの間にできる溝をなくすことで、塵埃の堆積の解消及び清掃精の向上を図り、且つハンドレールの傾斜面に堆積する塵埃も抑制するオープンショーケースを提供するものである。
【課題を解決するための手段】
【０００７】
側面略コの字状に断熱壁を組み合わせ、一つの面が開口するように本体を形成し、前記開口部の縁を構成する断熱壁の上面にガラスとガラス枠（ガラス保持部材）とハンドレールを備えるショーケースにおいて、前記ガラス枠（ガラス保持部材）とハンドレールを一体に形成しガラス立設部材としたことを特徴とする。
【０００８】
また、前記ショーケースのガラス立設部材は、外面に向かう平らの傾斜面を設けた。
【発明の効果】
【０００９】
本発明によれば、断熱壁の上面にフロントガラスを備えて成るショーケースにおいて、ハンドレールとフロントガラスを立設する部材が一体化となることで、ハンドレールとフロントガラスの間にできる溝を無くすことが可能となり、凹陥溝内に塵埃が堆積する不都合を解消することができる。
【００１０】
また、フロントガラス前面ハンドレール部の傾斜面を設けることで塵埃の堆積を抑制し、且つ形状をシンプルにすることで清掃性が向上される。
【発明を実施するための形態】
【００１１】
次に、図面を参考にして本発明の実施形態について詳述する。図１は実施例のオープンショーケース１の断面側面図、図２は同オープンショーケース１の吸込口２側面断面拡大図を示している。
【００１２】
オープンショーケース１は冷蔵・冷凍食品等の商品を冷却展示する為の低温ショーケースであり上面開口４にて上方に開口する凹字形状の断熱壁１６で本体が構成されている。オープンショーケース１の庫内には吸込ダクト６、吹出ダクト７、底部ダクト８が断熱壁１６の内側に設けられ、商品を展示する貯蔵室５が形成されている。底部ダクト８と断熱壁１６の間に設置されている図示しない冷却器から送風機により冷気が供給され、吹出口３から吸込口２へ冷気エアカーテンを形成し、所定の冷蔵・冷凍温度とされている。
【００１３】
図２には吸込口２の拡大図が示されている。断熱壁１６は外面材９と内面材１０が配置されウレタン発泡にて充填し断熱壁１６が構成されている。その断熱壁１６の上部にはハンドレール１１がビス１５にて一定の間隔で断熱壁１６の内面材１０の上面に固定されている。
【００１４】
吸込ガイド１３と取付板１４はサブ組で、ビス１５にて一定の間隔で締結されている。サブ組化された前記部品は、吸込ガイド１３のフランジ１３ａを手摺１１のフロントガラス挿入部１１ａに差込み、取付板１４の下部はビス１５にて一定の間隔で断熱壁１６の内面材１０に固定されている。
【００１５】
フロントガラス１２は断熱壁１６の上面に固定されている手摺１１のフロントガラス挿入部１１ａとフロントガラス挿入部１１ａに差込まれている吸込ガイド１３のフランジ１３ａの間を上方から差込みフロントガラス１２を立設する。
【００１６】
このようにフロントガラス１２と吸込ガイド１３が接している構造となり、ハンドレール１１の前面上部もフロントガラス１２に接する構造となる為、塵埃の堆積を抑制することができる。
【００１７】
また、ハンドレール１１の断面形状をシンプル化し、傾斜面１１ｂを狭くすることでも塵埃の堆積を抑制するとともに、清掃性が向上し衛生的に使用することが可能となる。
【図面の簡単な説明】
【００１８】
【図１】本発明を実施形態を示すショーケースの断面側面図である。
【図２】本発明の実施形態を示すショーケースの吸込口の側面断面拡大図である。
【符号の説明】
【００１９】
１ ショーケース
２ 吸込口 
３ 吹出口 
４ 開口部
５ 貯蔵室
６ 吸込ダクト
７ 吹出ダクト
８ 底部ダクト
９ 外面材
１０ 内面材
１１ ハンドレール
１１ａ フロントガラス挿入部 
１１ｂ ハンドレール傾斜面 
１２ フロントガラス（ガラス） 
１３ 吸込ガイド 
１３ａ 吸込ガイドフランジ
１４ 取付板
１５ ビス
１６ 断熱壁
【図１】
2013202275.tif 000003
【図２】
2013202275.tif 000004
(57)【要約】      （修正有）【課題】色々な天災、人災は時を問わず突然発生する。そんなとき、救命具を傘のように広げて、即危険から避難できる。暗闇で非常階段を下りることも、はしご車や助け人を待ことも長く感じ、不安を持つこともない。間にあわないと尊い命を救うことができない。パラシュートのように使用後は複雑な畳み方はしなくてすむ。傘のように畳めばよい。簡単に使用できる救命具を提供する。【解決手段】傘の骨を強化し、長くし、湾曲にする。軸を強化し、長くしてまたがるようにする。布を大きく張ってパラシュートのようにして体重を受け止める。この本発明の「命ひろい」を各家に必要におうじて常備しておく。避難する場合は、電線を張り巡らされていない、車道に面していない窓から脱出する。【選択図】図３
2013202401.tif 000002
【特許請求の範囲】
【請求項１】
傘の布の部分がパラユートのように多くの空気を含め、体重を受け止めゆるやかに下降、着地できる特徴のある救命具である。
【請求項２】
傘の骨を強化、長くして空気を取り込めるよう湾曲にする。
【請求項３】
傘の軸を強化、長くし、座を設ける。
【発明の詳細な説明】
【技術分野】
【０００１】  本発明は自分の命は自分で守れる救命具。
【背景技術】
【０００２】  高層建物で危険を生じたときは、消防署のはしご車を待つか消防士に誘導してもらうか非常階段を下りるか屋上に上って待機するしかなかった。【０００３】  パラシュートは一般に普及していない。また、開かない時もある。
【発明の概要】
【発明が解決しようとする課題】
【０００４】  人災、天災は時をかまわず起こる。特に暗い時刻に発生すると明かりが乏しい場所では行動できない。自分の身に危険が迫っていても非難するのに時間がかかり、思い余って身を投げる人を画面を通じて見た。国民の生活がこれほど豊かになっているのに一番大切な人の命を余りにも置き去りになっている。
【課題を解決するための手段】
【０００５】  上記目的を達成するため、本発明は傘にパラシュートのような大きな布を張り設け直ちに広げて、滑り落ちないよう柄を長くして先端に座を設ける。
【発明の効果】
【０００６】  高所から速く非難するには、その場から立ち去るしかないわけで、違和感のない普段使用している傘の形態で布が大きく開き、座って体重を傘に任せて迅速に柔軟に着地できる。
【図面の簡単な説明】
【０００７】
【図１】ａ．傘骨を強化し、長くして形を湾曲させる。ｂ．傘の軸を強化し、長くして柄のところをＬ字型に曲げ座とする。
【図２】パラシュートのように空気を沢山含めるため布を７２０度に広げ、それを８本の骨に縫い付ける。
【図３】救命具に乗った状態。
【発明を実施するための形態】
【０００８】  ［図１］ａ．傘の骨を強化、長くして湾曲にする。
ｂ．傘の軸を強化し人の座高を考慮し、柄のところをＬ字型に曲げ３０センチ          の座をもうけるため長くする。
［図２］パラシュートのようにするため布を７２０度に使い、下降時に下から確認でき          るように布の内側に蛍光塗料を塗る。
【０００９】  材料は骨と軸はセラミック
布はナイロン
【符号の説明】
【００１０】  図１ａ傘の骨
１ｂ傘の軸
図２傘の布
図３救命具に乗って非難するところ
【図１】
2013202401.tif 000003
【図２】
2013202401.tif 000004
【図３】
2013202401.tif 000005
【手続補正書】
【提出日】平成24年10月23日(2012.10.23)
【手続補正１】
【補正対象書類名】明細書
【補正対象項目名】０００７
【補正方法】変更
【補正の内容】
【０００７】
【図１】傘骨を強化し、長くして湾曲させる。パラシュートのように空気を沢山含めるために布を７２０度に広げ、それを８本の骨に縫い付ける。
【図２】傘の軸を強化し柄のしたに布で輪を作り、輪に腰を掛けて柄を持って降りる。救命具に乗った状態。
【図３】布の輪の大きさはウエストベルトのように各人、体に合わせて調節する。
【手続補正２】
【補正対象書類名】図面
【補正対象項目名】図１
【補正方法】変更
【補正の内容】
【図１】
2013202401.tif 000006
【手続補正３】
【補正対象書類名】図面
【補正対象項目名】図２
【補正方法】変更
【補正の内容】
【図２】
2013202401.tif 000007
【手続補正４】
【補正対象書類名】図面
【補正対象項目名】図３
【補正方法】変更
【補正の内容】
【図３】
2013202401.tif 000008